(57)【要約】【課題】複数のパッケージを備え、対をなすパッケージ間が複数本のケーブルで接続されることとなる多重中継光伝送装置において、ケーブルの誤接続を検出でき、全てのケーブルが正しく接続されているかどうかを自動的に確認することができるようにする。【解決手段】第１のパッケージに、第１のパッケージごとに固有のパッケージ識別番号を格納するメモリと、メモリから前記パッケージ識別番号を読み出してパッケージ識別番号信号として第２のパッケージに送信し、第２のパッケージから受信したパッケージ識別番号信号が示すパッケージ識別番号がメモリに格納されているパッケージ識別番号と一致するかどうかを判別する制御部と、を設ける。パッケージ識別番号信号が複数本のケーブルを経由してから制御部に到達するように、第２のパッケージを構成する。【選択図】図１
2009088852.tif 000002
【特許請求の範囲】
【請求項１】
少なくとも１つの第１のパッケージと前記第１のパッケージとは異なる機能を有する少なくとも１つの第２のパッケージとを備え、前記第１のパッケージ及び前記第２のパッケージの対ごとに、対をなす前記第１のパッケージとが前記第２のパッケージとが複数本のケーブルで接続される多重中継光伝送装置であって、
前記第１のパッケージは、
前記第１のパッケージごとに固有のパッケージ識別番号を格納するメモリと、
前記メモリから前記パッケージ識別番号を読み出してパッケージ識別番号信号として前記第２のパッケージに送信し、前記第２のパッケージから受信したパッケージ識別番号信号が示すパッケージ識別番号が前記メモリに格納されているパッケージ識別番号と一致するかどうか判別する制御部と、
を備え、前記第２のパッケージは、前記パッケージ識別番号信号が前記複数本のケーブルを経由してから前記制御部に到達するように構成されている、多重中継光伝送装置。
【請求項２】
前記複数本のケーブルは、主信号を含む光信号を伝送する光信号ケーブルと、制御信号を含む電気信号を伝送する電気信号ケーブルとからなる、請求項１に記載の多重中継光伝送装置。
【請求項３】
前記第１のパッケージは、前記制御部から受け取った前記パッケージ識別番号信号を光信号に変換する電気／光変換器と、光信号に変換された前記パッケージ識別番号信号を前記主信号に波長多重し、波長多重後の光信号を前記光信号ケーブルを介して前記第２のパッケージに送出する光信号合波器と、を備え、
前記第２のパッケージは、前記光信号ケーブルを介して入力した光信号を前記主信号と前記パッケージ識別番号信号の光信号とに波長分離する光信号分波器と、前記光信号分波器から出力された前記パッケージ識別番号信号の光信号を電気信号に変換する光／電気変換器と、を備え、
前記光／電気変換器で電気信号に変換された前記パッケージ識別番号信号が前記電気信号ケーブルを介して前記制御部に送信され、前記制御部は、前記電気信号ケーブルを介して受信した前記パッケージ識別番号信号が示すパッケージ識別番号と前記メモリに格納されているパッケージ識別番号が一致するかどうかを判別する、請求項２に記載の多重中継光伝送装置。
【請求項４】
前記第２のパッケージは、前記第１のパッケージから前記電気信号ケーブルを介して受信した前記パッケージ識別番号信号を光信号に変換する電気／光変換器と、光信号に変換された前記パッケージ識別番号信号を前記主信号に波長多重し、波長多重後の光信号を前記光信号ケーブルを介して前記第１のパッケージに送出する光信号合波器と、を備え、
前記第１のパッケージは、前記光信号ケーブルを介して入力した光信号を前記主信号と前記パッケージ識別番号信号の光信号とに波長分離する光信号分波器と、前記光信号分波器から出力された前記パッケージ識別番号信号の光信号を電気信号に変換する光／電気変換器と、を備え、
前記制御部は、前記電気信号ケーブルを介して前記パッケージ識別番号信号を前記第２のパッケージに送信するとともに、前記光／電気変換器から出力される前記パッケージ識別番号信号が示すパッケージ識別番号と前記メモリに格納されているパッケージ識別番号が一致するかどうかを判別する、請求項２に記載の多重中継光伝送装置。
【請求項５】
前記光信号ケーブルは、前記第１のパッケージから前記第２のパッケージに向かう光信号を伝送する第１の光ファイバ芯線と前記第２のパッケージから前記第１のパッケージに向かう光信号を伝送する第２の光ファイバ芯線とを物理的に一体化させたケーブルである、請求項３または４に記載の多重中継光伝送装置。
【請求項６】
前記複数本のケーブルは、主信号を含む光信号を前記第１のパッケージから前記第２のパッケージに伝送する第１の光信号ケーブルと、主信号を含む光信号を前記第２のパッケージから前記第１のパッケージに伝送する第２の光信号ケーブルと、制御信号を含む電気信号を前記第１のパッケージと前記第２のパッケージの間で双方向に伝送する電気信号ケーブルとからなる、請求項１に記載の多重中継光伝送装置。
【請求項７】
前記第１のパッケージは、前記制御部から受け取った前記パッケージ識別番号信号を光信号に変換する第１の電気／光変換器と、第１の電気／光変換器によって光信号に変換された前記パッケージ識別番号信号を前記主信号に波長多重して波長多重後の光信号を前記第１の光信号ケーブルを介して前記第２のパッケージに送出する第１の光信号合波器と、前記第２の光信号ケーブルを介して入力した光信号を前記主信号と前記パッケージ識別番号信号の光信号とに波長分離する第１の光信号分波器と、前記第１の光信号分波器から出力された前記パッケージ識別番号信号の光信号を電気信号に変換する第１の光／電気変換器と、を備え、
前記第２のパッケージは、前記第１の光信号ケーブルを介して入力した光信号を前記主信号と前記パッケージ識別番号信号の光信号とに波長分離する第２の光信号分波器と、前記第２の光信号分波器から出力された前記パッケージ識別番号信号の光信号を電気信号に変換する第２の光／電気変換器と、前記第１のパッケージから前記電気信号ケーブルを介して受信した前記パッケージ識別番号信号を光信号に変換する第２の電気／光変換器と、前記第２の電気／光変換器によって光信号に変換された前記パッケージ識別番号信号を前記主信号に波長多重して波長多重後の光信号を前記第２の光信号ケーブルを介して前記第１のパッケージに送出する第２の光信号合波器と、を備え、
前記第２の光／電気変換器で電気信号に変換された前記パッケージ識別番号信号が前記電気信号ケーブルを介して前記制御部に送信され、
前記制御部は、前記メモリから読み出したパッケージ識別番号に基づくパッケージ識別番号を前記第１の電気／光変換器に送るとともに前記電気信号ケーブルを介して前記第２のパッケージに送信し、前記電気信号ケーブルを介して受信した前記パッケージ識別番号信号が示すパッケージ識別番号と前記第１の光／電気変換器から受け取った前記パッケージ識別番号信号が示すパッケージ識別番号と前記メモリに格納されているパッケージ識別番号とが一致するかどうかを判別する、請求項６に記載の多重中継光伝送装置。
【請求項８】
前記第１のパッケージ及び前記第２のパッケージの一方が主信号の増幅を行う光増幅パッケージであり、他方が前記主信号を終端する主信号終端パッケージである、請求項１乃至７のいずれか１項に記載の多重中継光伝送装置。
【発明の詳細な説明】
【技術分野】
【０００１】
本発明は、多重中継光伝送装置に関し、特に、複数のパッケージを備えるとともに、対をなすパッケージ間で複数本のケーブルが接続される多重中継光伝送装置に関する。
【背景技術】
【０００２】
多重中継光伝送装置では、例えば特許文献１（特開２００４−３２０８８号公報）に示されるように、異なる機能を有するとともに相互に物理的に分離している複数のパッケージを用いたものがあり、そのようなものの中には、これらのパッケージ間を複数本のケーブルで接続したものがある。
【０００３】
関連する技術として、光信号である主信号の光増幅を行う光増幅パッケージと、光信号である主信号を終端する主信号終端パッケージとが物理的に分離して設けられている多重中継光伝送装置を考える。多重中継光伝送装置として機能させるためには、光増幅パッケージと主信号終端パッケージとを対をなすようにケーブルで接続し、２つのパッケージ間で、主信号と制御信号や警報信号とを送受信できるようにする必要がある。主信号は光レベルの信号であり、制御信号や警報信号は一般に電気レベルの信号すなわち電気信号であるから、対をなす２つのパッケージは、主信号を送受信するための光ファイバケーブルと、制御信号や警報信号を送受信するための電気信号用のケーブルとの物理的に異なる二種類のケーブルを用いて接続される必要がある。以下の説明では、便宜上、主信号を送受信するための光ファイバケーブルを主信号ケーブルと呼び、制御信号や警報信号などを送受信するための電気信号用のケーブルのことを制御信号ケーブルと呼ぶことにする。
【０００４】
光増幅パッケージと主信号終端パッケージとを備える多重中継光伝送装置が正しく機能するためには、これらの２種類のパッケージ間で主信号ケーブルと制御信号ケーブルとが正しく接続されている必要がある。すなわち、主信号ケーブルが接続する２枚のパッケージと、制御信号ケーブルが接続している２枚のパッケージとが同じである必要がある。装置内に１枚の光増幅パッケージと１枚の主信号終端パッケージとしか存在しない場合には、各パッケージにおいてケーブルが接続していれば、これらパッケージ間の接続には問題がないものと考えられるが、一般的には、多重中継光伝送装置には、２枚以上の光増幅パッケージと２枚以上の主信号終端パッケージとが設けられるので、人手によってケーブルを単にパッケージに接続しただけでは、ケーブルの接続ミスが発生する可能性が高くなる。具体的には、１番目の光増幅パッケージは、主信号ケーブルによって１番目の主信号終端パッケージに接続するとともに、制御信号ケーブルによって２番目の主信号終端パッケージに接続している、ということが起こり得る。
【０００５】
パッケージ間の接続作業では接続確認が行われているものの、その場合は、各ケーブル単体（主信号ケーブルのみ、制御信号ケーブルのみ）での２枚のパッケージ間の接続の確認のみが行われており、本例のように複数のケーブルが接続される際に、全てのケーブルが正しく接続されているかどうかの接続性確認は行われていないのが普通である。各ケーブルの単体での接続が正しい場合には、１番目の光増幅パッケージから見て主信号ケーブルは第１の主信号終端パッケージに接続し制御信号ケーブルは第２の主信号終端パッケージ接続しているような場合であっても特に警報とはならないため、ケーブルの接続に間違いがあった場合に、運用開始前に発見することができない可能性が高い。
【０００６】
パッケージ間（あるいはモジュール間）でのケーブルの誤接続を検出する技術として、特許文献２（特開２００１−３２５５１６号公報）には、第１及び第２の装置が主信号線を介して接続されている場合に、自装置の固有値を信号のオーバーヘッドに挿入して相手装置に送信し、相手装置から受信した信号のオーバヘッドに含まれる固有値を検出して期待値と比較することにより、主信号線の誤接続を検出することが開示されている。特許文献２には、相手装置から送られてきた信号のオーバヘッド中の固有値に自装置の固有値を加算し、加算後の値を相手装置側に送ることも開示されている。特許文献３（特開２００１−７８２９号公報）には、波長多重による光伝送システムで用いられる光監視チャネル転送装置において、光監視チャネル信号を主信号とは別波長で主信号と波長多重で伝送するとともに、光監視チャネルの管理情報に、光ファイバである伝送路の誤接続監視の情報も含ませることが開示されている。特許文献４（特開２００１−５１７２９号公報）には、送信モジュールと受信モジュールとが光ファイバケーブルによって接続された信号伝送装置において、受信モジュールが光信号を受信した場合にその旨を知らせる受信信号を電気ケーブルを介して送信モジュールに送信することが開示されている。なお特許文献４は、受信信号を電気ケーブルを介して送信モジュールに返送することを示すのみであって、ケーブルの誤接続の検出について開示するものではない。
【０００７】
さらに、上述の特許文献１においては、光波長分割多重伝送システムにおいて、光波長分割多重を行うアレイ導波路格子の各入力ポートごとに入力パワーレベルを検出し、その検出結果とアレイ導波路格子の出力光の波長スペクトルとを比較することによって、光ファイバの誤接続を検出することが開示されている。特許文献５（特開平３−２６２２１７号公報）には、転送元装置と転送先装置とが複数のケーブルで接続されている場合に、ケーブルごとに伝送路識別コードを割り当てて転送元装置から転送先装置に伝送路識別コードを送信し、転送先装置が伝送路識別コードに応答して転送元装置に返送した応答コードをケーブルごとに判別して、ケーブルの誤接続を検出することが開示されている。特許文献６（特開２００１−３５８６５７号公報）には、光再生中継装置及び光線形中継装置を光ファイバ伝送路に介挿し、２つの光波長多重化端局装置間で光主信号を送受信する光伝送システムにおいて、各装置が有する主信号受信部にて正しい接続時に受信するトレース値の期待値を設定し、また各装置が有する主信号送信部にて光線形中継装置の監視制御用回線内のフレームに光ファイバの誤接続を検出するためのトレース値を挿入し、光線形中継装置及びこれに接続される他の光中継装置や多重化端局装置にて受信したトレース値と受信側の装置に設定されているトレース期待値とを比較することにより、光線形中継装置に接続される光ファイバの誤接続を検出することが開示されている。
【特許文献１】特開２００４−３２０８８号公報
【特許文献２】特開２００１−３２５５１６号公報
【特許文献３】特開２００１−７８２９号公報
【特許文献４】特開２００１−５１７２９号公報
【特許文献５】特開平３−２６２２１７号公報
【特許文献６】特開２００１−３５８６５７号公報
【発明の開示】
【発明が解決しようとする課題】
【０００８】
対をなすパッケージ間で複数本のケーブルが接続される多重中継光伝送装置においては、各ケーブル単体で接続確認をしただけでは不十分であり、複数本のケーブルが全体として正しく接続されていることを確認する必要がある。
【０００９】
特許文献１に記載のものは、波長分割多重される前の各信号の光ファイバの誤接続のみを検出できるものであって、波長多重後の光信号を対象とした誤接続の確認には使用できないものである。特許文献２、５、６に記載のものは、接続性を確認するための識別情報を第１及び第２の装置の両方（あるいは伝送路ごとに転送元装置と転送先装置の両方、あるいは両端の光波長多重化端局装置の双方）に設定する必要があり、ここで識別情報に誤りがあった場合には、誤接続の検出を適切に行うことができない。特許文献３は、光監視チャネルの管理情報にファイバ誤接続監視のための１バイトのフィールドが設けられることを記載しているものの、具体的にどのようにして誤接続を検出するかについては記載しておらず、また、光ファイバケーブルと電気信号用ケーブルとを併用する場合の監視についても記載していない。特許文献６に記載のものは、接続性を確認するための識別情報を両端の光波長多重化端局装置の双方に設定する必要があり、ここで識別情報に誤りがあった場合には、誤接続の検出を適切に行うことができない。
【００１０】
さらにこれらの各特許文献に記載のものも、結局のところは各ケーブル単位での接続確認を行っているに過ぎず、２つのパッケージや装置が複数本の異なる種類のケーブルで接続される場合に、それら複数本のケーブルが全体として正しい接続になっているかを確認できるものではない。また双方向の通信を行うために装置間で光ファイバが２本、独立して設けられているような場合には、光ファイバごとに誤接続検出のための機構を設ける必要がある。
【００１１】
本発明の目的は、複数のパッケージあるいはモジュール等を備え、対をなすパッケージ間が複数本のケーブルで接続されることとなる多重中継光伝送装置において、ケーブルの誤接続を検出でき、全てのケーブルが正しく接続されているかどうかを自動的に確認することができる多重中継光伝送装置を提供することにある。
【課題を解決するための手段】
【００１２】
本発明の多重中継光伝送装置は、少なくとも１つの第１のパッケージと第１のパッケージとは異なる機能を有する少なくとも１つの第２のパッケージとを備え、第１のパッケージ及び第２のパッケージの対ごとに、対をなす第１のパッケージとが第２のパッケージとが複数本のケーブルで接続される多重中継光伝送装置であって、第１のパッケージは、第１のパッケージごとに固有のパッケージ識別番号を格納するメモリと、メモリからパッケージ識別番号を読み出してパッケージ識別番号信号として第２のパッケージに送信し、第２のパッケージから受信したパッケージ識別番号信号が示すパッケージ識別番号がメモリに格納されているパッケージ識別番号と一致するかどうかを判別する制御部と、を備え、第２のパッケージは、パッケージ識別番号信号が複数本のケーブルを経由してから制御部に到達するように構成されている。
【発明の効果】
【００１３】
本発明によれば、対をなすパッケージの少なくとも一方に識別情報を付与し、対をなすパッケージ間で接続される全てケーブルを経由するようにこの識別情報を示す信号を転送し、戻ってきた信号が最初に送り出した識別情報に対応しているか否かを確認することにより、人的手段では接続ミスの可能性が高くなることが懸念される状況において、運用開始前にケーブルの接続ミスを自動的に検出することができるようになる、という効果が得られる。
【発明を実施するための最良の形態】
【００１４】
第１の例示形態の多重中継光伝送装置の構成を示している。図示される多重中継光伝送装置は、少なくとも１つの第１のパッケージと第１のパッケージとは異なる機能を有する少なくとも１つの第２のパッケージとを備え、第１のパッケージ及び第２のパッケージの対ごとに、対をなす第１のパッケージとが第２のパッケージとが複数本のケーブルで接続される多重中継光伝送装置の一例である。以下では、説明のため、第１のパッケージが光信号である主信号の増幅を行う光増幅パッケージであり、第２のパッケージが主信号を終端する主信号終端パッケージであるものとするが、第１のパッケージ及び第２のパッケージがこれらのものに限定されるものでないことは言うまでもない。
【００１５】
図１に示すように本例示実施形態の多重中継光伝送装置は、光信号である主信号の光増幅を行う複数の光増幅パッケージ７と、主信号の終端を行う複数の主信号終端パッケージ８と、多重中継光伝送装置全体の制御と監視を行うための装置共通パッケージ１３と、を備えている。装置共通パッケージ１３は、複数の光増幅パッケージ７に対して共通に１つ設けられている。この多重中継光伝送装置では、光増幅パッケージ７と主信号終端パッケージ８とが１対１で組み合わされ、このように組をなす光増幅パッケージ７と主信号終端パッケージ８とは、相互に、少なくとも主信号を含む光信号を伝送するための光信号ケーブルである主信号ケーブル９と、制御信号や警報信号などを伝送するための電気信号ケーブルである制御信号ケーブル１０とによって接続されている。
【００１６】
光増幅パッケージ７と主信号終端パッケージ８とがそれぞれ複数設けられていることにより、光増幅パッケージ７と主信号終端パッケージ８からなる組が複数設けられることとなり、この多重中継光伝送装置では、外部に接続される複数の光ファイバ上の主信号をそれぞれ扱えるようになる。この多重中継光伝送装置は、ある光増幅パッケージ７に一端が接続する主信号ケーブル９及び制御信号ケーブル１０がそれらの他端側でそれぞれ異なる主信号終端パッケージ８に接続していたり、あるいは、ある主信号終端パッケージ８に一端が接続する主信号ケーブル９及び制御信号ケーブル１０がそれらの他端側でそれぞれ異なる光増幅パッケージ７に接続していたりする場合には、正常には動作しない。
【００１７】
この例示実施形態では、光増幅パッケージ７と主信号終端パッケージ８との間の双方向での主信号の伝送を可能にするために、主信号ケーブル９として、２芯の光ファイバを物理的に一体化させた光ファイバケーブルを用いている。もちろん、１芯の光ファイバのみを用いて双方向の通信を可能とする構成としてもよい。制御信号ケーブル１０も複数本の信号線を束ねて物理的に一体化したものであり、光増幅パッケージ７と主信号終端パッケージ８との間で双方向で制御信号や警報信号を送受信できるようになっている。
【００１８】
光増幅パッケージ７には、光増幅パッケージごとに一意かつ固有のパッケージ識別番号が付与されている。パッケージ識別番号は、任意の桁の１６進数で表される。光増幅パッケージ７は、外部からこの多重中継光伝送装置に入力された光信号である主信号を増幅する光増幅器１６と、外部に対して出力される主信号を増幅する光増幅器１７と、付与されたパッケージ識別番号を格納するメモリ１１と、入力側の光増幅器１７の出力に設けられた光信号合波器１と、光増幅パッケージ７の動作を制御する制御部３と、制御部３が出力するパッケージ識別番号信号を光信号に変換する電気／光変換器２とを備えている。光増幅器１６が出力する主信号の波長と電気／光変換器２が出力する光信号の波長とは異なっており、光信号合波器１は、光増幅器１６からの主信号と電気／光変換器２からの光信号を波長多重して、主信号ケーブル９内の光ファイバ芯線の一方を用いて、主信号終端パッケージ８側に送信する。主信号ケーブル９内の光ファイバ芯線の他方は、光増幅器１７の入力に接続している。
【００１９】
光増幅パッケージ７の制御部３は、対向する主信号終端パッケージ８内の後述する制御部６に対して制御信号ケーブル１０によって接続されるとともに、装置共通パッケージ１２内の装置制御監視部１３に対しても接続している。この制御部３は、予め設定されている周期ごとにメモリ１１からパッケージ識別番号を読み出し、読み出したパッケージ識別番号をパッケージ識別番号信号として電気／光変換器２に送出するとともに、制御信号ケーブル１０を介して主信号終端パッケージ８からパッケージ識別番号信号を受け取り、メモリ１１に格納されているパッケージ識別番号と主信号終端パッケージ８から受け取ったパッケージ識別番号信号が示すパッケージ識別番号とが一致するかを判定し、判定結果を装置制御監視部１２に送信する機能を有する。具体的には、メモリ１１内のパッケージ識別番号と主信号終端パッケージ８から通知されたパッケージ識別番号とが一致すれば、「パッケージ接続正常」通知を装置制御監視部１２に出力し、不一致であれば。「パッケージ接続異常」通知を出力する。なお、光増幅パッケージ７の制御部３と主信号終端パッケージ８の制御部６とは、相互に、パッケージ識別番号信号以外の各種制御信号や警報信号の送受信も行っている。
【００２０】
主信号終端パッケージ８は、主信号ケーブル９内の光ファイバ芯線の一方を介して光増幅パッケージ７から送られてきた光信号を主信号とパッケージ識別番号信号の光信号に波長分離する光信号分波器４と、主信号を終端するための光／電気変換器１４及び電気／光変換器１５と、光信号分波器４で波長分離されたもののうちパッケージ識別番号信号の光信号を電気信号に変換する光／電気変換器５と、主信号終端パッケージ８の動作を制御する制御部６と、を備えている。光／電気変換器１４は、光信号分波器４で波長分離されたもののうち主信号を電気信号に変換してパッケージ外に出力する。また電気／光変換器１５は、パッケージ外から入力する電気信号を光信号に変換し、主信号終端パッケージ８から光増幅パッケージ７に向かう主信号として、主信号ケーブル９内の光ファイバ芯線の他方を介して光増幅パッケージ８に送出する。制御部９は、上述したように、制御信号ケーブル１０によって、光増幅パッケージ７内の制御部３に接続しており、光／電気変換器５によって電気信号に変換されたパッケージ識別番号信号を制御信号ケーブル１０を介して光増幅パッケージ７の制御部３に送信する機能を有する。
【００２１】
次に、この例示実施形態の多重中継光伝送装置の動作について説明する。
【００２２】
ここでは、光増幅パッケージ７に固有のパッケージ識別番号として、例えば１６進数０ｘ００Ａ０Ａ０がメモリ１１に格納されているものとする。光信号である主信号を増幅するための光増幅器１６，１７の動作と、主信号を終端するための光／電気変換器１４及び電気／光変換器１５の動作は、一般的な多重中継光伝送装置におけるものと同様である。
【００２３】
光増幅パッケージ７の制御部３は、予め設定されている一定周期ごとにメモリ１１からパッケージ識別番号を読み出し、読み出したパッケージ識別番号をパッケージ識別番号信号として電気／光変換器２に送出する。電気／光変換器２はこのパッケージ識別番号信号を光信号に変換し、光信号合波器１は、光増幅器１６からの主信号にパッケージ識別番号信号の光信号を波長多重し、主信号ケーブル９に送出する。
【００２４】
主信号終端パッケージ８では、主信号ケーブル９から入力した光信号が光信号分波器４に導かれ、主信号とパッケージ識別番号信号の光信号とに波長分離される。波長分離された光信号のうち、主信号は光／電気変換器１４に送られるが、パッケージ識別番号信号の光信号は光／電気変換器５によって電気信号に変換されて制御部６に入力する。制御部６は、受け付けたパッケージ識別番号信号を、制御信号ケーブル１０を介して光増幅パッケージ７に転送する。
【００２５】
ここで光増幅パッケージ７と主信号終端パッケージ８との間がケーブルによってまだ接続されていない状態では、光増幅パッケージ７の制御部３がパッケージ識別番号信号を電気／光変換器２に対して送出したとしても、主信号終端パッケージ８の制御部９からはパッケージ識別番号信号が制御部３には戻ってこないため、予め設定されている受信タイムアウトの経過後に、「パッケージ接続異常」が判明し、制御部３は、「パッケージ接続異常」の通知を装置制御監視部１３に送信する。
【００２６】
主信号終端パッケージ８が多重中継光伝送装置に装着され、光増幅パッケージ７と主信号と主信号終端パッケージ８とが主信号ケーブル９及び制御信号ケーブル１０によってが接続されると、あるタイミングから、光増幅パッケージ７の制御部３へパッケージ識別番号信号が戻ってくるようになる。
【００２７】
このとき、対をなす光増幅パッケージ７と主信号終端パッケージ８との間で主信号ケーブル９と制御信号ケーブル１０とが正しく接続されていると、光増幅パッケージ７の制御部３において、メモリ１１から読み出したパッケージ識別番号と主信号終端パッケージから送られてきたパッケージ識別番号とが一致することとなり、制御部３は、パッケージ接続が正常に行われていると判別して、装置監視制御部１２に対し、「パッケージ接続正常」を通知する。
【００２８】
ここで、パッケージ間での主信号ケーブルあるいは制御信号ケーブルの誤接続がある場合を考える。ここでいう誤接続とは、同一の光増幅パッケージに接続されている主信号ケーブル９及び制御信号ケーブル１０が異なる主信号終端パッケージに接続しているような場合のことをいう。このような場合には、制御信号ケーブル１０を介してパッケージ識別番号信号が制御部３に入力するものの、このパッケージ識別番号信号が示すパッケージ識別番号は、メモリ１１から読み出したパッケージ識別番号とは一致しない。そこで制御部３は、パッケージ接続に異常があると判別して、「パッケージ接続異常」を装置監視制御部１２に通知する。
【００２９】
このようにしてこの例示実施形態では、光増幅パッケージごとに固有のパッケージ識別番号を付与し、このパッケージ識別番号を示すパッケージ識別番号信号が、対をなす２つのパッケージの間を接続している全てのケーブルを経由するように転送することにより、パッケージ識別番号信号の最初の出力元において、戻ってきたパッケージ識別番号と最初に送出したパッケージ識別番号とを比較することによって、これら対をなす２つのパッケージ間で全てのケーブルが正しく接続されているかどうかを確認することができる。ここで述べた例では制御部３は、予め設定されている一定周期ごとにパッケージ識別番号信号を出力しているので、言い換えれば、その一定周期ごとにケーブルが正しく接続されているかの確認を行っていることになる。
【００３０】
上述したものでは、主信号ケーブル９において、パッケージ識別番号信号は光増幅パッケージ７から主信号終端パッケージ８に向かう一方向に送信されている。光信号である主信号は一般に双方向に伝達されるものであって主信号終端パッケージ８から光増幅パッケージ７に向かう伝達経路も想定されるものであるが、この例示実施形態では、２芯の光ファイバを物理的に一体化させた主信号ケーブル９を用いることにより、一方向での接続が正しければ逆方向の接続も正しく行われていると判断することができる。すなわち、パッケージに対してケーブルの挿抜作業を行った場合に、２芯の光ファイバが同時にパッケージに接続し、また、２芯の光ファイバが同時にパッケージから取り外されることととして、誤接続の有無を判定している。２芯の光ファイバが同時に接続あるいは非接続となることは、ケーブルとパッケージとの接続のために用いられるコネクタの一般的な構造を考慮すれば、妥当なものである考えられる。
【００３１】
しかしながら、光増幅パッケージ７と主信号終端パッケージ８との間の双方向での主信号の伝送が、方向別に独立したそれぞれ１芯の光ファイバからなる２本の主信号ケーブルで行われる場合もありうる。その場合、２本の主信号ケーブルの接続が別々に行われるため、上述の構成では、主信号終端パッケージ８から光増幅パッケージ７に向かう主信号を伝送する主信号ケーブルの誤接続を検出することができない。
【００３２】
図２は、光増幅パッケージ７と主信号終端パッケージ８との間が２本の主信号ケーブル９，２２と１本の制御信号ケーブル１０で接続された多重中継光伝送装置を示している。この多重中継光伝送装置は、図１に示した構成において、主信号ケーブル９には光増幅パッケージ７から主信号終端パッケージ８に向かう光信号のみを伝達させるとともに、逆方向の光信号を伝達させるための主信号ケーブル２２を主信号ケーブル９とは独立して設けたものである。主信号ケーブル２２は、逆方向の主信号にパッケージ識別番号信号の光信号が波長多重された光信号を伝送するものであり、逆方向でのパッケージ識別番号信号を可能にするために、図１に示したものに対し、光増幅パッケージ７内において、光信号分波器２０及び光／電気変換器２１を追加し、主信号終端パッケージ８内において、光信号合波器１８及び電気／光変換器１９を追加したものである。電気／光変換器１９は、制御部６から出力されたパッケージ識別番号信号を光信号に変換する。光信号合波器１８は、電気／光変換器１５からの主信号に電気／光変換器１９からのパッケージ識別番号信号の光信号を波長多重して主信号ケーブル２２に送出する。光信号分波器２０は、主信号ケーブル２２から入力した光信号を主信号とパッケージ識別番号信号の光信号とに波長分離し、主信号を光増幅器１７に入力させ、パッケージ識別番号信号の光信号を光／電気変換器２１に入力させる。光／電気変換器２１は、パッケージ識別番号信号の光信号を電気信号に変換して制御部３に入力する。
【００３３】
光増幅パッケージ７内の制御部３は、パッケージ識別番号信号を電気／光変換器２に供給するとともに、制御信号ケーブル１０を介して主信号終端パッケージ８の制御部６にも送信する。制御部６は、光／電気変換器５から入力したパッケージ識別番号を光増幅パッケージ７側に送信するとともに、制御信号ケーブル１０を介して入力したパッケージ識別番号信号を電気／光変換器１９に送信するようになっている。
【００３４】
この多重中継光伝送装置では、制御部３が電気／光変換器２と制御部６の両方にパッケージ識別番号信号を送ることにより、一方の経路においてパッケージ識別番号信号は主信号ケーブル９と制御信号ケーブル１０を通過し、他方の経路においてパッケージ識別番号信号は制御信号ケーブル１０と主信号ケーブル２２を通過することになる。したがって、制御部３は、制御部６から受け取ったパッケージ識別番号と光／電気変換器２１から受け取ったパッケージ識別番号とメモリ１１に格納されているパッケージ識別番号とが一致する場合に、パッケージ接続が正常であり、それ以外の場合に、パッケージ接続が異常である、と判定することができる。
【００３５】
以上説明した例示実施形態においては、パッケージ識別番号を光増幅パッケージ７に付与してメモリ１１に格納し、光パッケージ増幅パッケージ７内の制御部３がパッケージ接続が正常か異常かを判断しているが、パッケージ識別番号を主信号終端パッケージ８に対して付与し、パッケージ識別番号を格納するメモリを主信号終端パッケージ８内に設け、主信号終端パッケージ８内の制御部９がパッケージ接続が正常か異常かを判断するようにしてもよい。
【図面の簡単な説明】
【００３６】
【図１】例示実施形態における多重中継光伝送装置の構成を示すブロック図である。
【図２】例示実施形態の別の例における多重中継光伝送装置の構成を示すブロック図である。
【符号の説明】
【００３７】
１，１８    光信号合波器
２，１４，１９    電気／光変換器
３，６    制御部
４，２０    光信号分波器
５，１５，２１    光／電気変換器
７    光増幅パッケージ
８    主信号終端パッケージ
９，２２    主信号ケーブル
１０    制御信号ケーブル
１１    メモリ部
１２    装置監視制御部
１３    装置共通パッケージ
１６，１７    光増幅器
【図１】
2009088852.tif 000003
【図２】
2009088852.tif 000004